(57)【要約】【課題】効率よく保守でき、製造コストを抑えられる洗剤タンクを備えた便器装置を提供する。【解決手段】便器装置１は、洗剤タンクＡは、内部を貯留空間２１とし、上部に補充口２２を有したタンク部２０と、補充口２２に対し着脱自在に設けられた容器蓋３０とを備えており、容器蓋３０は、補充口２２の閉塞／開放を自在とした蓋部３１と、蓋部３１の内面中央より下方に突出し、フィルター４３付きの流路４１を有した取り出し部４０と、蓋部３１の外面より側方に突出し、取り出し部４０と連通する流路５１を有した送出部５０とを備えている。【選択図】図１
2019173417.tif 000002
【特許請求の範囲】
【請求項１】
便器本体に着脱自在に取り付けられ、該便器本体に設けられたボウルに供給される洗浄水に混入される洗剤を貯留する洗剤タンクを備えた便器装置であって、
前記洗剤タンクは、内部を貯留空間とし、上部に補充口を有したタンク部と、該補充口に対し着脱自在に設けられた容器蓋とを備えており、
前記容器蓋は、前記補充口の閉塞／開放を自在とした蓋部と、該蓋部の内面中央より下方に突出し、フィルター付きの流路を有した取り出し部と、前記蓋部の外面より側方に突出し、前記取り出し部と連通する流路を有した送出部とを備えていることを特徴とする便器装置。
【請求項２】
請求項１において、
前記蓋部の内面における前記取り出し部の突出基部の周囲に、所定空間を介して囲み壁が設けられていることを特徴とする便器装置。
【請求項３】
請求項１または２において、
前記蓋部と前記補充口とは、前記蓋部を前記補充口に被せて閉塞した状態において、前記容器蓋を回転操作することで、閉塞ロック／アンロック位置間の相対移動を自在とした嵌合構造を備えていることを特徴とする便器装置。
【請求項４】
請求項３において、
前記容器蓋と前記洗剤タンクは、両部材を前記アンロック位置に合わせるための位置合わせ部を備えていることを特徴とする便器装置。
【発明の詳細な説明】
【技術分野】
【０００１】
本発明は、便器本体の洗浄水に混入される洗剤を貯留する洗剤タンクを備えた便器装置に関する。
【背景技術】
【０００２】
便器装置に設けられた従来の洗剤タンクは、特許文献１に例示されているように、タンク内部から外部へ延びる流路を有しており、その流路を通じて、液状の洗剤をポンプで吸引して便器本体に設けたボウルに洗浄水に混入させる構成とされている。さらに、この洗剤タンクには、洗剤送出用の供給口とは別に、洗剤を洗剤タンクに補充するための補充口が設けられている。そしてその補充口には着脱自在な容器蓋が設けられている。
【０００３】
このように、この便器装置の洗剤タンクは、補充口と供給口の２つの開口を有し、一方の開口では洗浄剤の補充ができ、他方の開口では洗剤の送出（ボウルの洗浄水への供給）ができる構成とされている。つまり、洗剤の補充と送出とを、個別の経路で行う構成とされている。
【先行技術文献】
【特許文献】
【０００４】
【特許文献１】特開２０１４−５５４４６号公報
【発明の概要】
【発明が解決しようとする課題】
【０００５】
しかしながら、上記洗剤タンクには洗剤の開口が２つ存在するため、タンク構造が複雑化する。そのため、洗剤タンクを洗浄する際には手間がかかり、洗剤タンクおよび便器装置の製造面においてもコスト高となるおそれがある。また、洗剤タンクに２つの開口があれば当然に洗剤漏れも発生しやすくなるという懸念もある。
【０００６】
本発明は、このような事情を考慮して提案されたもので、その目的は、効率よく保守でき、製造コストを抑えられる洗剤タンクを備えた便器装置を提供することにある。
【課題を解決するための手段】
【０００７】
上記目的を達成するために、本発明の便器装置は、便器本体に着脱自在に取り付けられ、該便器本体に設けられたボウルに供給される洗浄水に混入される洗剤を貯留する洗剤タンクを備えた便器装置であって、前記洗剤タンクは、内部を貯留空間とし、上部に補充口を有したタンク部と、該補充口に対し着脱自在に設けられた容器蓋とを備えており、前記容器蓋は、前記補充口の閉塞／開放を自在とした蓋部と、該蓋部の内面中央より下方に突出し、フィルター付きの流路を有した取り出し部と、前記蓋部の外面より側方に突出し、前記取り出し部と連通する流路を有した送出部とを備えていることを特徴とする。
【発明の効果】
【０００８】
本発明の便器装置が上述した構成とされているため、洗剤タンクを効率よく保守でき、かつ洗剤タンクの製造コストを抑えることができる。このような構成であるため、洗剤タンクからの洗剤漏れの可能性も低くなる。
【図面の簡単な説明】
【０００９】
【図１】本発明に係る便器装置の説明図である。（ａ）は同便器装置の概略斜視図、（ｂ）は概略平面図、（ｃ）は同便器装置に装着される洗剤タンクの拡大平面図である。
【図２】同洗剤タンク（タンクホルダーに収容された状態）の一部破断斜視図である。
【図３】（ａ）は同洗剤タンクの容器蓋をアンロック位置に移動させたときの平面図、（ｂ）は同分解斜視図である。
【図４】（ａ）は同容器蓋（蓋部）の部分斜視図、（ｂ）は同蓋部の部分拡大底面図、（ｃ）は（ａ）のＡ−Ａ線に対応した部分拡大断面図である。
【図５】（ａ）（ｂ）は同容器蓋の回転操作による２つの位置を示す、上記Ａ−Ａ線に対応した断面図である。
【図６】（ａ）は同容器蓋の裏面側の一部破断斜視図、（ｂ）は同容器蓋のタンク部への装着状態を示す模式縦断面図である。
【発明を実施するための形態】
【００１０】
以下に、本発明の実施の形態について、添付図面をもとに説明する。まず、本便器装置１の概略基本構成について説明する。
【００１１】
本便器装置１は、便器本体１０に着脱自在に取り付けられ、便器本体１０に設けられたボウル１１に供給される洗浄水に混入される洗剤を貯留する洗剤タンクＡを備えた便器装置である。
【００１２】
洗剤タンクＡは、内部を貯留空間２１とし、上部に補充口２２を有したタンク部２０と、補充口２２に対し着脱自在に設けられた容器蓋３０とを備えている。容器蓋３０は、補充口２２の閉塞／開放を自在とした蓋部３１と、蓋部３１の内面中央より下方に突出し、流路４１を有した取り出し部４０と、蓋部３１の外面より側方に突出し、取り出し部４０と連通する流路５１を有した送出部５０とを備えている。取り出し部４０の流路４１にはフィルター４３が設けてある。
【００１３】
ついで、図１に示した便器装置１および便器装置１に着脱自在に収容される洗剤タンクＡについて詳述する。
【００１４】
本便器装置１の便器本体１０は、ボウル１１と、ボウル１１を側方より囲った周壁１３と、便座１２と、便蓋（不図示）と、便座１２や便蓋、ボウル１１の後方に配された本体後部１４とを備えている。便座１２および便蓋は回動により開閉自在とされている。
【００１５】
本体後部１４の下部には、後部側の周壁１３に囲まれてトラップ装置（不図示）、配管（不図示）などが配されている一方、上部には、便座１２、便蓋の回動軸が設けられ、さらにその後方にカバー付きの操作部１４ａが配されている。なお、図１（ａ）（ｂ）においてはカバーを外した状態が図示してある。
【００１６】
さらに、操作部１４ａの隣の、通常、カバーに覆われた部分にタンク収容部１５が配されている。このタンク収容部１５には、タンクホルダー１６が収容され、そのタンクホルダー１６に洗剤タンクＡが着脱自在に配される収容構造とされている。
【００１７】
タンク収容部１５は、カバーを外した状態では上方に開口しており、その開口を介して洗剤タンクＡを出し入れすることができる。タンク収容部１５は、洗剤タンクＡからポンプ（不図示）で吸引される液状の洗剤をボウル１１へと送り込むための液導入口１５ａが形成されている。
【００１８】
また、タンクホルダー１６は、洗剤タンクＡを収容できる形状とされ、後述する洗剤タンクＡの送出部５０の回動を禁止し、かつ送出部５０から送出される洗剤をタンク収容部１５の液導入口１５ａに誘導し固定できるようにした管固定部１６ｂを備えている。また、タンクホルダー１６の本体１６ａの底には水抜き孔１６ｃが設けられ、洗剤タンクＡから漏れ出た洗剤を排水できるようになっている。
【００１９】
洗剤タンクＡは、上述したように、タンク部２０と、着脱自在の容器蓋３０とを有してなる。タンク部２０の上面には、上方に円筒状に突出した補充口２２と、取っ手２５とが設けてある。
【００２０】
容器蓋３０の蓋部３１は、補充口２２に被せて回転操作により閉塞ロック／アンロックができるように、下方に開口した円筒状をなしている。
【００２１】
取り出し部４０は管状とされ、蓋部３１の貯留空間２１側の内面の中央より下方に突出し、取り出し部４０の流路４１の先端にフィルター４３が設けてある。なお、フィルター４３の取り付け位置は特に限定されない。送出部５０は取り出し部４０と略直角をなすように側方に、タンク側面よりも突出するように延びている。送出部５０の先端側には送出口５３を下方に向けた導出部５２を備えており、この導出部５２がタンクホルダー１６の管固定部１６ｂに固定されるようになっている。
【００２２】
取り出し部４０は、容器蓋３０がタンク部２０に、閉塞ロック状態に取り付けられた状態では、タンク部２０の貯留空間２１を上下に貫くように、タンク部２０の内底面に対し略垂直となるように延び、その先端が内底面に近接するように配される。
【００２３】
したがって、貯留空間２１に貯留された洗剤は、ポンプにより吸引されて、まず取り出し部４０の流路４１を上方に移動し、ついで蓋部３１の内部を通過し、送出部５０の折曲した流路５１を移動して送出口５３より下方の液導入口１５ａへと送出される。
【００２４】
このように、容器蓋３０は、蓋部３１がタンク部２０の補充口２２を閉塞した状態と、開放した状態との変更を自在とした構成であり、かつ取り出し部４０と送出部５０とが蓋部３１を介して流通した構成とされている。すなわち、本洗剤タンクＡは、タンク部２０に設けた洗剤補充用の補充口２２が、洗剤をボウル１１へ供給するための供給口を兼ねた構成とされている。
【００２５】
このように、本洗剤タンクＡは、タンク部２０に補充口２２とは別に供給口が設けられておらず、つまり複数の開口が設けられていないため、タンク部２０の洗浄はしやすくなり、そのため洗剤タンクＡを効率よく保守することができる。また、洗剤タンクＡの製造コストを抑えることもできる。さらに、タンク部２０に複数の開口が設けられていないため、洗剤漏れの可能性も低い。
【００２６】
蓋部３１と補充口２２とには、蓋部３１を補充口２２に被せて閉塞した状態において、容器蓋３０を回転操作することで、閉塞ロック／アンロック位置間の相互の相対移動を自在とした嵌合構造が設けられている。
【００２７】
この嵌合構造により、図３（ａ）に示した容器蓋３０の状態がアンロックの状態から、図１（ｃ）に示した容器蓋３０の状態が閉塞ロックの状態への動作と、その逆の動作とを回転操作にて可能とされている。なお、図３（ａ）に付記した矢印Ｍ１は、閉塞ロック位置からアンロック位置へ容器蓋３０が回転移動する方向とされ、矢印Ｍ２はその逆方向に容器蓋３０が回転移動する方向とされる。
【００２８】
タンク部２０（補充口２２）側の嵌合構造として、補充口２２の外周部の下部の２箇所に嵌合突部２４が設けてある。図４（ｃ）に示してあるように、嵌合突部２４の横断面は略台形状とされる。この嵌合突部２４は、タンク部２０の上面との間に隙間ができるように形成されている。この隙間には、閉塞ロック状態において、後述する蓋部３１の突出片３４（図４（ａ）参照）が入り込む空間とされる。また、嵌合突部２４の回転方向の一方の面には傾斜状のガイド面２４ａ（図４（ｃ）参照）が形成されている。
【００２９】
一方、容器蓋３０（蓋部３１）側の嵌合構造として、蓋部３１の周壁部３１ａに嵌合突部２４に対応する嵌合受部３２が設けてある。この嵌合受部３２は、嵌合窓３２ａ（図４（ａ）参照）と、この嵌合窓３２ａに嵌合突部２４を嵌合させるための弾性片３３（図４（ａ）参照）とを少なくとも有している。嵌合窓３２ａに嵌合突部２４に嵌合した状態が閉塞ロックの状態とされる。より詳細な嵌合構造については後述する。
【００３０】
また、蓋部３１の補充口２２に対する嵌合操作をしやすくするための位置合わせ部２３、３６が、タンク部２０、容器蓋３０に設けてある。位置合わせ部としては、容器蓋３０側には蓋部３１の上面の縁部に目印３６が設けてあり、タンク部２０側には補充口２２の外周部に突起２３が設けてある。
【００３１】
また、蓋部３１の周壁部３１ａの下部には目印３６に対応する位置に、横長の切欠き窓３５が開設されている。位置合わせ部２３、３６どうしを合わせて蓋部３１を補充口２２に被せてあるときに、突起２３が切欠き窓３５の一方の端部に配される位置関係とされている。この切欠き窓３５の窓空間において、突起２３は、容器蓋３０を回転操作することで、閉塞ロック位置からアンロック位置へ、またアンロック位置から閉塞ロック位置に相対移動する。
【００３２】
ようするに、切欠き窓３５の一方の端部は蓋部３１の被せ位置であり、アンロック操作をした際のストッパでもある。一方、切欠き窓３５の他方の端部に突起２３が移動したときには、補充口２２の嵌合突部２４と蓋部３１の嵌合受部３２とが嵌合して閉塞ロック状態となる。
【００３３】
ついで、蓋部３１の嵌合受部３２と、補充口２２の嵌合突部２４との嵌合構造について、図４および図５を参照しながら詳細に説明する。
【００３４】
嵌合受部３２は、図４（ａ）に示すように、嵌合突部２４がほとんど隙間なく嵌合する嵌合窓３２ａを有している。この嵌合窓３２ａは周壁部３１ａの一部を開口して形成されている。嵌合窓３２ａの下方には周壁部３１ａの下端の一部よりなる突出片３４が形成され、嵌合窓３２ａの一方の側方には周壁部３１ａの一部よりなる弾性片３３が形成されている。
【００３５】
弾性片３３は、上側の周壁部３１ａとの間に横溝３２ｂを設けたことにより弾性を有した板状部として作用する。また弾性片３３は、より撓みやすくするために他の周壁部３１ａの部位よりも薄く形成され、さらに根元部分に縦溝３２ｃが形成されている。弾性片３３の裏側には、アンロック位置において嵌合突部２４が嵌り込む待機凹所３３ｃが形成されている。この待機凹所３３ｃは弾性片３３の上下方向の全長に対して形成されているため、この位置において蓋部３１を上方に移動することが可能とされる（アンロック状態：図５（ａ）参照）。また、弾性片３３の先端部には待機凹所３３ｃ側の面をガイド面３３ｂとし内方に突出したロック部３３ａが形成されている。
【００３６】
このアンロック状態から、容器蓋３０の回転操作により嵌合突部２４をＭ２方向（図３（ａ）参照）に相対移動させると、補充口２２の嵌合突部２４はロック部３３ａのガイド面３３ｂを押圧する。そして、嵌合突部２４は、ロック部３３ａを押圧しながら弾性片３３を外方に撓ませて、ロック部３３ａの内側を通過して嵌合窓３２ａへと相対移動する（ロック状態：図５（ｂ）参照）。
【００３７】
このロック状態では、突出片３４が蓋部３１の嵌合突部２４の下側に入り込んでいるため蓋部３１を上方に移動することができなくなる。なお、閉塞ロック状態になれば、タンク部２０側の位置合わせ部である突起２３は、切欠き窓３５の他方の端部に相対移動する。
【００３８】
また、閉塞ロック状態から、容器蓋３０の回転操作により嵌合突部２４がＭ１方向（図３（ａ）参照）に相対移動されると、嵌合突部２４のガイド面２４ａでロック部３３ａを押圧する。そして、嵌合突部２４は、ロック部３３ａを押圧しながら弾性片３３を外方に撓ませて、ロック部３３ａの内側を通過して待機凹所３３ｃへと相対移動する（アンロック状態：図５（ａ）参照）。
【００３９】
このアンロック状態で容器蓋３０の取り外しが可能となる。なお、アンロック状態になればタンク部２０側の位置合わせ部である突起２３は切欠き窓３５の一方の端部（元の位置）に相対移動する。
【００４０】
このような嵌合構造は、図５に示すように２箇所に形成されているが、それらは同時に嵌合（閉塞ロック）／嵌合解除（アンロック）の動作をなす。
【００４１】
この嵌合構造によれば、閉塞ロック／アンロック間の相互の位置移動を、容器蓋３０の回転によるワンタッチ操作で実施することができる。また、位置合わせ部２３、３６が設けてあるため、容器蓋３０（蓋部３１）の被せ位置、取り外し位置がひとめでわかり、効率的な操作をすることができる。
【００４２】
ついで、容器蓋３０の内部構造について、図６を参照しながら説明する。
【００４３】
本洗剤タンクＡの容器蓋３０は、蓋部３１の内面における取り出し部４０の突出基部４２の周囲に、所定空間を介して囲み壁３７が設けられた構造とされている。この囲み壁３７は、容器蓋３０をタンク部２０の補充口２２に被せたときに、周壁部３１ａの内側にある補充口２２のさらに内側（貯留空間２１側）に入り込む部位とされる。この囲み壁３７で囲まれた、突出基部４２の周囲空間は、容器蓋３０を取り外し、図６（ａ）のように、容器蓋３０を逆さまにしたときに、取り出し部４０の外周面に付着した残留洗剤が外周面に沿って伝い落ち溜まり込んでいく液溜まり部３８とされる。
【００４４】
囲み壁３７は容器蓋３０を補充口２２に被せたときに補充口２２の内側（貯留空間２１側）に配される部位であるため、液溜まり部３８に溜まった洗剤は、外部に流れ出ることなく貯留空間２１へと戻される。
【００４５】
このように容器蓋３０は囲み壁３７を備えているため、取り出し部４０を伝い落ちてくる残留洗剤は、囲み壁３７が堰となって、周壁部３１ａの内側近傍にたどり着く可能性はほとんどない。もちろん、残留洗剤は周壁部３１ａの外面に到達するおそれもない。つまり、このような構成により、補充口２２の上端やその外側を洗剤で汚すことを防止することができる。また、その液溜まり部３８に溜まった残留洗剤は元の貯留空間２１に戻されるため、洗剤の無駄を減らすこともできる。
【符号の説明】
【００４６】
１          便器装置
１０        便器本体
１１        ボウル
１２        便座
１３        周壁
１４        本体後部
１４ａ      操作部
１５        タンク収容部
１５ａ      液導入口
１６        タンクホルダー
１６ａ      本体
１６ｂ      管固定部
１６ｃ      水抜き孔
Ａ          洗剤タンク
２０        タンク部
２１        貯留空間
２２        補充口
２３        突起（位置合わせ部）
２４        嵌合突部
２４ａ      ガイド面
２５        取っ手
３０        容器蓋
３１        蓋部
３１ａ      周壁部
３２        嵌合受部
３２ａ      嵌合窓
３２ｂ      横溝
３２ｃ      縦溝
３３        弾性片
３３ａ      ロック部
３３ｂ      ガイド面
３３ｃ      待機凹所
３４        突出片
３５        切欠き窓
３６        目印（位置合わせ部）
３７        囲み壁
３８        液溜まり部
４０        取り出し部
４１        流路
４２        突出基部
４３        フィルター
５０        送出部
５１        流路
５２        導出部
５３        送出口
【図１】
2019173417.tif 000003
【図２】
2019173417.tif 000004
【図３】
2019173417.tif 000005
【図４】
2019173417.tif 000006
【図５】
2019173417.tif 000007
【図６】
2019173417.tif 000008